(57)【要約】【課題】  アンテナに指向性を持たせることを可能としつつ、シールド効果を向上させる。【解決手段】  第１筐体部１０１内に搭載された回路基板１０４に外部無線通信用アンテナ１０６を取り付けるとともに、第１筐体部１０１内および第２筐体部１０２内にそれぞれ搭載された回路基板１０４、１０８には、内部無線通信用アンテナ１０７、１１０をそれぞれ埋め込み、各内部無線通信用アンテナ１０７、１１０の上下のいずれか少なくとも一方にそれぞれ配置されるようにして、グランド層１１１、１１２をそれぞれ形成する。【選択図】      図４
2006013901.tif 000002
【特許請求の範囲】
【請求項１】
回路基板と、
前記回路基板内に埋め込まれた放射器と、
前記回路基板に形成され、前記放射器の上下のいずれか少なくとも一方に配置されたグランド層とを備えることを特徴とするアンテナ装置。
【請求項２】
前記回路基板に形成され、前記放射器の上下のいずれか少なくとも一方に配置された電波吸収体をさらに備えることを特徴とする請求項１記載のアンテナ装置。
【請求項３】
前記放射器は、前記回路基板に設けられた配線パターンの一部から構成されることを特徴とする請求項１または２記載のアンテナ装置。
【請求項４】
第１筐体部と、
前記第１筐体部に連結された第２筐体部と、
前記第１筐体部と前記第２筐体部との間の位置関係を変えられるように前記第１筐体部と前記第２筐体部とを連結する連結部と、
前記第１筐体部に搭載された外部無線通信用アンテナと、
前記第１筐体部に搭載され、前記外部無線通信用アンテナを介して行われる外部無線通信の制御を主として司る外部無線通信制御部と、
前記第２筐体部に搭載された表示部と、
前記第１筐体部に搭載された第１回路基板と、
前記第１回路基板に埋め込まれた第１の内部無線通信用アンテナと、
前記第１回路基板に形成され、前記第１の内部無線通信用アンテナの上下のいずれか少なくとも一方に配置された第１グランド層と、
前記第２筐体部に搭載された第２回路基板と、
前記第２回路基板に埋め込まれた第２の内部無線通信用アンテナと、
前記第２回路基板に形成され、前記第２の内部無線通信用アンテナの上下のいずれか少なくとも一方に配置された第２グランド層と、
前記第１筐体部に搭載され、前記第１の内部無線通信用アンテナを介して行われる内部無線通信の制御を司る第１の内部無線通信制御部と、
前記第２筐体部に搭載され、前記第２の内部無線通信用アンテナを介して行われる内部無線通信の制御を司る第２の内部無線通信制御部とを備えることを特徴とする無線通信端末。
【請求項５】
前記第１回路基板に形成され、前記第１の内部無線通信用アンテナの上下のいずれか少なくとも一方に配置された第１電波吸収体と、
前記第２回路基板に形成され、前記第２の内部無線通信用アンテナの上下のいずれか少なくとも一方に配置された第２電波吸収体とをさらに備えることを特徴とする請求項４記載の無線通信端末。
【請求項６】
前記第１の内部無線通信用アンテナは、前記第１回路基板に設けられた配線パターンの一部から構成され、
前記第２の内部無線通信用アンテナは、前記第２回路基板に設けられた配線パターンの一部から構成されることを特徴とする請求項４または５記載の無線通信端末。
【請求項７】
前記無線通信端末は携帯電話であることを特徴とする請求項４から６のいずれか１項記載の無線通信端末。
【請求項８】
前記内部無線通信は、微弱無線またはＵＷＢ無線の近距離無線であることを特徴とする請求項４から７のいずれか１項記載の無線通信端末。
【発明の詳細な説明】
【技術分野】
【０００１】
本発明はアンテナ装置および無線通信端末に関し、特に、クラムシェル型携帯電話などに適用して好適なものである。
【背景技術】
【０００２】
近年の携帯電話では、文字や図形などの静止画像の他、デジタルカメラで撮像された静止画像や動画像をより精細に表示させることができるようにするため、携帯電話に搭載される液晶表示装置を高解像度化することが行われている。これに伴って、デジタルカメラと液晶表示装置との間でやり取りされるデータ量も増大し、ＬＶＤＳ（Ｌｏｗ  Ｖｏｌｔａｇｅ  Ｄｉｆｆｅｒｅｎｔｉａｌ  Ｓｉｇｎａｌｉｎｇ）という高速転送方式を表示体や撮像素子の接続に用いることが提案されている。
【０００３】
また、近年の携帯電話では、携帯電話の携帯性を損なうことなく、表示体のサイズを大きくするとともに、携帯電話を持ち歩いているときに操作ボタンが誤って操作されることを防止するため、携帯電話の折り畳みが可能なクラムシェル構造を採用することが行われている。このクラムシェル構造では、携帯電話の外部無線通信機能を主として司る制御部が搭載された第１筐体部と、表示体が搭載された第２筐体部とがヒンジを介して連結され、第１筐体部と第２筐体部とはヒンジを介して互いに閉じたり開いたりすることができる。
【０００４】
また、例えば、特許文献１〜４には、アンテナをプリント基板上に表面実装することにより、アンテナに指向性を持たせつつ、高密度実装を実現する方法が開示されている。
【特許文献１】特開平７−２２１５３７号公報
【特許文献２】特開平９−８３２３３号公報
【特許文献３】特開２００１−１１９２３０号公報
【特許文献４】特開平２００３−７８３２７号公報
【発明の開示】
【発明が解決しようとする課題】
【０００５】
しかしながら、携帯電話に搭載される表示体の高解像度化が進行し、高ビットレートの画像データなどを有線で表示体に送信するためには、表示体に信号を送るためのフレキシブル配線基板を多ピン化する必要がある。このため、クラムシェル構造の携帯電話では、第１筐体部と第２筐体部との間のデータ伝送を有線で行うと、多ピン化されたフレキシブル配線基板をヒンジ内に通す必要があり、ヒンジ構造が複雑化したり、実装工程が煩雑化したりする。この結果、携帯電話の小型薄型化の障害となるだけでなく、コストアップを招くとともに、信頼性の劣化を引き起こすという問題があった。
【０００６】
一方、フレキシブル配線基板の代わりに、内部無線通信用アンテナを第１筐体部と第２筐体部にそれぞれ設け、第１筐体部と第２筐体部との間のデータ伝送を内部無線通信で行うと、携帯電話の外部無線通信との間で干渉が発生する。このため、携帯電話の外部無線通信の状況によって内部無線通信の環境が変化し、データを確実に伝送する上での信頼性が劣化するという問題があった。
【０００７】
特に、ＵＷＢ（Ｕｌｔｒａ  Ｗｉｄｅ  Ｂａｎｄ）などの出力が低く制限された無線通信方式を内部無線通信に採用した場合、携帯電話の外部無線通信にて出力される電波との電力レベル差が大きくなり、これらの間の電力レベル差が９０ｄＢにも及ぶことがある。このため、目標とする帯域外の信号であっても内部無線通信に及ぶ影響を無視できなくなり、携帯電話の外部無線通信との干渉に起因して無線通信環境が悪化し、ビットエラーレートが劣化したり、パケットエラーレートの劣化による再送の増加を招いたりするという問題があった。
【０００８】
また、特許文献１〜４に開示された方法では、プリント基板の表面にアンテナが実装されるため、アンテナから送出される電波のシールドが十分でなく、外部無線通信と内部無線通信との間の干渉を低減させることができないという問題があった。
そこで、本発明の目的は、指向性を持たせることを可能としつつ、シールド効果を向上させることが可能なアンテナ装置および無線通信端末を提供することである。
【課題を解決するための手段】
【０００９】
上述した課題を解決するために、本発明の一態様に係るアンテナ装置によれば、回路基板と、前記回路基板内に埋め込まれた放射器と、前記回路基板に形成され、前記放射器の上下のいずれか少なくとも一方に配置されたグランド層とを備えることを特徴とする。
これにより、放射器から上下方向に放射される電波をシールドすることが可能となるとともに、回路基板の側面から電波を放射させることが可能となる。このため、アンテナに指向性を持たせることを可能としつつ、シールド効果を向上させることが可能となり、実装面積の増大を抑制しつつ、他の通信との相互干渉を低減させることができる。
【００１０】
また、本発明の一態様に係るアンテナ装置によれば、前記回路基板に形成され、前記放射器の上下のいずれか少なくとも一方に配置された電波吸収体をさらに備えることを特徴とする。
これにより、放射器から上下方向に放射される電波のシールド効果をより一層向上させることが可能となり、他の通信との相互干渉をより一層低減させることができる。
【００１１】
また、本発明の一態様に係るアンテナ装置によれば、前記放射器は、前記回路基板に設けられた配線パターンの一部から構成されることを特徴とする。
これにより、配線パターンを回路基板に形成する時に、放射器を回路基板に一括して形成することが可能となり、工程増を伴うことなく、放射器を回路基板に埋め込むことが可能となる。このため、コストアップを抑制しつつ、アンテナのシールド効果を向上させることが可能となるとともに、アンテナ装置の小型化を図ることが可能となる。
【００１２】
また、本発明の一態様に係る無線通信端末によれば、第１筐体部と、前記第１筐体部に連結された第２筐体部と、前記第１筐体部と前記第２筐体部との間の位置関係を変えられるように前記第１筐体部と前記第２筐体部とを連結する連結部と、前記第１筐体部に搭載された外部無線通信用アンテナと、前記第１筐体部に搭載され、前記外部無線通信用アンテナを介して行われる外部無線通信の制御を主として司る外部無線通信制御部と、前記第２筐体部に搭載された表示部と、前記第１筐体部に搭載された第１回路基板と、前記第１回路基板に埋め込まれた第１の内部無線通信用アンテナと、前記第１回路基板に形成され、前記第１の内部無線通信用アンテナの上下のいずれか少なくとも一方に配置された第１グランド層と、前記第２筐体部に搭載された第２回路基板と、前記第２回路基板に埋め込まれた第２の内部無線通信用アンテナと、前記第２回路基板に形成され、前記第２の内部無線通信用アンテナの上下のいずれか少なくとも一方に配置された第２グランド層と、前記第１筐体部に搭載され、前記第１の内部無線通信用アンテナを介して行われる内部無線通信の制御を司る第１の内部無線通信制御部と、前記第２筐体部に搭載され、前記第２の内部無線通信用アンテナを介して行われる内部無線通信の制御を司る第２の内部無線通信制御部とを備えることを特徴とする。
【００１３】
これにより、第１および第２の内部無線通信用アンテナから上下方向に放射される電波をシールドすることが可能となるとともに、第１および第２回路基板の側面から電波を放射させることが可能となる。このため、第１および第２の内部無線通信用アンテナアに指向性を持たせることを可能としつつ、シールド効果を向上させることが可能となり、第１および第２の内部無線通信用アンテナ間で効率よく電波を受け渡しさせることを可能としつつ、外部無線通信と内部無線通信との相互干渉を低減させることが可能となるとともに、第１および第２の内部無線通信用アンテナの実装面積の増大を抑制することができる。
【００１４】
この結果、外部無線通信による通信環境の変化を許容しつつ、第１筐体部と第２筐体部との間の内部無線通信の品質の劣化を抑制することが可能となるとともに、第１筐体部と第２筐体部との間でのデータ伝送量が増大した場合においても、連結部の構成を複雑化させることなく、第１筐体部と第２筐体部との間の位置関係を変化させることが可能となる。このため、コストアップを抑制しつつ、無線通信端末の小型薄型化および高信頼性化を図ることが可能となるとともに、無線通信端末の携帯性を損なうことなく、無線通信端末の大画面化および多機能化を図ることができる。
【００１５】
また、本発明の一態様に係る無線通信端末によれば、前記第１回路基板に形成され、前記第１の内部無線通信用アンテナの上下のいずれか少なくとも一方に配置された第１電波吸収体と、前記第２回路基板に形成され、前記第２の内部無線通信用アンテナの上下のいずれか少なくとも一方に配置された第２電波吸収体とをさらに備えることを特徴とする。
これにより、第１および第２の内部無線通信用アンテナから上下方向に放射される電波のシールド効果をより一層向上させることが可能となり、外部無線通信との相互干渉をより一層低減させることができる。
【００１６】
また、本発明の一態様に係る無線通信端末によれば、前記第１の内部無線通信用アンテナは、前記第１回路基板に設けられた配線パターンの一部から構成され、前記第２の内部無線通信用アンテナは、前記第２回路基板に設けられた配線パターンの一部から構成されることを特徴とする。
これにより、配線パターンを第１および第２回路基板にそれぞれ形成する時に、第１および第２の内部無線通信用アンテナを第１および第２回路基板にそれぞれ一括して形成することが可能となり、工程増を伴うことなく、第１および第２の内部無線通信用アンテナを第１および第２回路基板にそれぞれ埋め込むことが可能となる。このため、コストアップを抑制しつつ、第１および第２の内部無線通信用アンテナのシールド効果を向上させることが可能となるとともに、第１および第２の内部無線通信用アンテナの小型化を図ることが可能となる。
【００１７】
また、本発明の一態様に係る無線通信端末によれば、前記無線通信端末は携帯電話であることを特徴とする。
これにより、携帯電話にクラムシェル構造が採用された場合においても、携帯電話の筐体間のデータ伝送を無線で安定して行うことが可能となる。このため、携帯電話に搭載される表示部の高解像度化に対応して、筐体間でやり取りされるデータ量が増大した場合においても、連結部の構造の複雑化を抑制することが可能となるとともに、実装工程の煩雑化を防止することが可能となる。この結果、コストアップを抑制しつつ、携帯電話の小型薄型化および高信頼性化を図ることが可能となるとともに、携帯電話の携帯性を損なうことなく、携帯電話の大画面化および多機能化を図ることができる。
【００１８】
また、本発明の一態様に係る無線通信端末によれば、前記内部無線通信は、微弱無線またはＵＷＢ無線の近距離無線であることを特徴とする。
これにより、外部無線通信と内部無線通信との間の相互干渉を抑制しつつ、内部無線通信を安定して行うことが可能となる。このため、第１筐体部と第２筐体部との間でのデータ伝送量が増大した場合においても、法規制の制約内で、第１筐体部と第２筐体部との間でのデータ伝送を無線で行うことが可能となり、連結部の構成を複雑化させることなく、第１筐体部と第２筐体部との間の位置関係を変化させることが可能となる。
【発明を実施するための最良の形態】
【００１９】
以下、本発明の実施形態に係る無線通信端末について図面を参照しながら説明する。
図１は、本発明の無線通信制御方法が適用されるクラムシェル型携帯電話を開いたときの状態を示す斜視図、図２は、本発明の無線通信制御方法が適用されるクラムシェル型携帯電話を閉じたときの状態を示す斜視図である。
図１および図２において、第１筐体部１の表面には、操作ボタン４が配置されるとともに、第１筐体部１の下端にはマイク５が設けられ、第１筐体部１の上端には外部無線通信用アンテナ６が取り付けられている。また、第２筐体部２の表面には、表示体８が設けられるとともに、第２筐体部２の上端にはスピーカ９が設けられている。また、第２筐体部２の裏面には、表示体１１および撮像素子１２が設けられている。なお、表示体８、１１としては、例えば、液晶表示パネル、有機ＥＬパネルまたはプラズマディスプレイパネルなどを用いることができる。また、撮像素子１２としては、ＣＣＤまたはＣＭＯＳセンサなどを用いることができる。また、第１筐体部１および第２筐体部２には、第１筐体部１と第２筐体部２との間で内部無線通信を行う内部無線通信用アンテナ７、１０がそれぞれ設けられている。
【００２０】
そして、第１筐体部１および第２筐体部２はヒンジ３を介して連結され、第２筐体部２をヒンジ３を支点として回転させることにより、第２筐体部２を第１筐体部１上に折り畳むことができる。そして、第２筐体部２を第１筐体部１上に閉じることにより、操作ボタン４を第２筐体部２にて保護することができ、携帯電話を持ち歩く時に操作ボタン４が誤って操作されることを防止することができる。また、第２筐体部２を第１筐体部１から開くことにより、表示体８を見ながら操作ボタン４を操作したり、スピーカ９およびマイク５を使いながら通話したり、操作ボタン４を操作しながら撮像を行ったりすることができる。
【００２１】
ここで、クラムシェル構造を用いることにより、第２筐体部２のほぼ一面全体に表示体８を配置することができ、携帯電話の携帯性を損なうことなく、表示体８のサイズを拡大させることを可能として、視認性を向上させることができる。
また、内部無線通信用アンテナ７、１０を第１筐体部１および第２筐体部２にそれぞれ設けることにより、内部無線通信用アンテナ７、１０を用いた内部無線通信にて第１筐体部１と第２筐体部２との間のデータ伝送を行うことができる。例えば、外部無線通信用アンテナ６を介して第１筐体部１に取り込まれた画像データや音声データを、内部無線通信用アンテナ７、１０を用いた内部無線通信にて第２筐体部２に送り、表示体８に画像を表示させたり、スピーカ９から音声を出力させたりすることができる。また、撮像素子１２にて撮像された撮像データを、内部無線通信用アンテナ７、１０を用いた内部無線通信にて第２筐体部２から第１筐体部１に送り、外部無線通信用アンテナ６を介して外部に送出させることができる。
【００２２】
これにより、第１筐体部１と第２筐体部２との間のデータ伝送を有線で行う必要がなくなり、多ピン化されたフレキシブル配線基板をヒンジ３に通す必要がなくなる。このため、ヒンジ３の構造の複雑化を抑制することが可能となるとともに、実装工程の煩雑化を防止することが可能となり、コストアップを抑制しつつ、携帯電話の小型薄型化および高信頼性化を図ることが可能となるとともに、携帯電話の携帯性を損なうことなく、携帯電話の大画面化および多機能化を図ることができる。
【００２３】
図３は、本発明の無線通信制御方法が適用される回転式携帯電話の外観を示す斜視図である。
図３において、第１筐体部２１の表面には、操作ボタン２４が配置されるとともに、第１筐体部２１の下端にはマイク２５が設けられ、第１筐体部２１の上端には外部無線通信用アンテナ２６が取り付けられている。また、第２筐体部２２の表面には、表示体２８が設けられるとともに、第２筐体部２２の上端にはスピーカ２９が設けられている。また、第１筐体部２１および第２筐体部２２には、第１筐体部２１と第２筐体部２２との間で内部無線通信を行う内部無線通信用アンテナ２７、３０がそれぞれ設けられている。
【００２４】
そして、第１筐体部２１および第２筐体部２２はヒンジ２３を介して連結され、第２筐体部２２をヒンジ２３を支点として水平に回転させることにより、第２筐体部２２を第１筐体部２１上に重ねて配置したり、第２筐体部２２を第１筐体部２１からずらしたりすることができる。そして、第２筐体部２２を第１筐体部２１上に重ねて配置することにより、操作ボタン２４を第２筐体部２２にて保護することができ、携帯電話を持ち歩く時に操作ボタン２４が誤って操作させることを防止することができる。また、第２筐体部２２を水平に回転させて、第２筐体部２２を第１筐体部２１からずらすことにより、表示体２８を見ながら操作ボタン２４を操作したり、スピーカ２９およびマイク２５を使いながら通話したりすることができる。
【００２５】
ここで、内部無線通信用アンテナ２７、３０を第１筐体部２１および第２筐体部２２にそれぞれ設けることにより、内部無線通信用アンテナ２７、３０を用いた内部無線通信にて第１筐体部２１と第２筐体部２２との間のデータ伝送を行うことができる。例えば、外部無線通信用アンテナ２６を介して第１筐体部２１に取り込まれた画像データや音声データを、内部無線通信用アンテナ２７、３０を用いた内部無線通信にて第２筐体部２２に送り、表示体２８に画像を表示させたり、スピーカ２９から音声を出力させたりすることができる。
【００２６】
これにより、多ピン化されたフレキシブル配線基板をヒンジ２３に通す必要がなくなり、ヒンジ２３の構造の複雑化を抑制することが可能となるとともに、実装工程の煩雑化を防止することが可能となる。このため、コストアップを抑制しつつ、携帯電話の小型薄型化および高信頼性化を図ることが可能となるとともに、携帯電話の携帯性を損なうことなく、携帯電話の大画面化および多機能化を図ることができる。
【００２７】
なお、上述した実施形態では、携帯電話を例にとって説明したが、ビデオカメラ、ＰＤＡ（Ｐｅｒｓｏｎａｌ  Ｄｉｇｉｔａｌ  Ａｓｓｉｓｔａｎｃｅ）、ノート型パーソナルコンピュータなどに適用することもできる。
図４は、本発明の第１実施形態に係る無線通信端末の内部構成を示す斜視図である。
図４において、第１筐体部１０１内には回路基板１０４が搭載され、第２筐体部１０２内には回路基板１０８が搭載されている。なお、回路基板１０４、１０８としては、多層プリント基板、ビルドアップ配線基板または多層フレキシブル基板などを用いることができる。そして、回路基板１０４、１０８には、電子部品１０５、１０９がそれぞれ実装されている。なお、電子部品１０５、１０９としては、例えば、ＩＣチップ、コンデンサ、コイル、抵抗、水晶振動子またはコネクタなどを挙げることができる。また、回路基板１０４には、外部無線通信用アンテナ１０６が取り付けられるとともに、回路基板１０４、１０８には、内部無線通信用アンテナ１０７、１１０がそれぞれ埋め込まれている。また、回路基板１０４、１０８には、各内部無線通信用アンテナ１０７、１１０の上下のいずれか少なくとも一方にそれぞれ配置されるようにして、グランド層１１１、１１２がそれぞれ形成されている。なお、ここでは、内部無線通信用アンテナと言うときは、内部無線通信用アンテナの放射器の部分を意味するものとする。
【００２８】
そして、第１筐体部１０１および第２筐体部１０２は、第１筐体部１０１と第２筐体部１０２との間の位置関係を変えられるように連結されている。なお、第１筐体部１０１と第２筐体部１０２との間の位置関係を変える方法としては、第２筐体部１０２を第１筐体部１０１上に折り畳めるようにする方法の他、第２筐体部１０２を第１筐体部１０１上で水平に回転できるようにする方法あるいは第２筐体部１０２を第１筐体部１０１上で左右または前後にスライドできるようにする方法などを挙げることができる。
【００２９】
ここで、内部無線通信用アンテナ１０７、１１０は、第１筐体部１０１と第２筐体部１０２とを互いに開いたときに、内部無線通信用アンテナ１０７、１１０が互いに対向するように、内部無線通信用アンテナ１０７、１１０を回路基板１０４、１０８内にそれぞれ配置することが好ましい。
そして、第１筐体部１０１と第２筐体部１０２との間でデータ伝送を行う場合、回路基板１０４、１０８内にそれぞれ埋め込まれた内部無線通信用アンテナ１０７、１１０を介して内部無線通信を行うことができる。
【００３０】
図５は、図１の無線通信端末の概略構成を示すブロック図である。
図５において、第１筐体部１０１には、外部無線通信用電波の送受信を行う外部無線通信用アンテナ１０６、外部無線通信用アンテナ１０６を介して送受信される信号の変復調処理を行う無線部２０２、ベースバンド信号処理を行うベースバンド信号処理部２０３、無線通信端末全体の制御を司る制御部２０４、制御部２０４が処理を実行する際のワークエリアを提供したり、その処理結果を記憶したりするＲＡＭ２０５、無線通信端末を動作させるための各種制御プログラムを格納するＲＯＭ２０６、内部無線通信用アンテナ１０７を介して行われる内部無線通信の制御を司る送受信部２０７および内部無線通信用電波の送受信を第１筐体部１０１側で行う内部無線通信用アンテナ１０７が設けられている。
【００３１】
また、第２筐体部１０２には、内部無線通信用アンテナ１１０を介して行われる内部無線通信の制御を司る送受信部２２１、内部無線通信用電波の送受信を第２筐体部１０２側で行う内部無線通信用アンテナ１１０、撮像を行うカメラ２２３、表示データの表示を行う液晶表示部２２４および付加装置２２５が設けられている。なお、外部無線通信における送受信データとしては、例えば、通話時の音声データ、メール時の文字データや画像データなどを挙げることができる。また、内部無線通信における送受信データとしては、例えば、カメラ２２３で撮像された撮像データ、液晶表示部２２４に表示される表示データまたは第２筐体部１０２を制御する制御信号などを挙げることができる。また、制御部２０４としてはＣＰＵを用いることができる。また、付加装置２２５としては、例えば、ＬＥＤ、マイクまたはスピーカなどを挙げることができる。
【００３２】
そして、外部無線通信用アンテナ１０６を介してデータを送信する場合、ベースバンド信号処理部２０３に送られた送信データがベースバンド信号処理される。そして、ベースバンド信号処理部２０３から出力された送信データの変調処理が無線部２０２にて行われ、外部無線通信用アンテナ１０６を介して外部に送出される。一方、外部無線通信用アンテナ１０６を介してデータを受信する場合、外部無線通信用アンテナ１０６を介して受信された受信データが無線部２０２に送られ、無線部２０２にて復調処理が行われる。そして、無線部２０２から出力された受信データがベースバンド信号処理部２０３に送られ、ベースバンド信号処理部２０３にてベースバンド信号処理が行われた後、制御部２０４に出力される。
【００３３】
そして、送受信部２０７は、制御部２０４から送られた画像データや音声データなどを、内部無線通信用アンテ１０７を介して送信することができる。そして、内部無線通信用アンテナ１０７を介して画像データや音声データなどが送信されると、これらの画像データや音声データなどが内部無線通信用アンテナ１１０を介して受信される。そして、送受信部２２１は、内部無線通信用アンテナ１１０を介して受信された画像データを液晶表示部２２４に表示させたり、内部無線通信用アンテナ１１０を介して受信された音声データをスピーカから送出させたりすることができる。
【００３４】
また、送受信部２２１は、カメラ２２３で撮像された撮像データを、内部無線通信用アンテナ１１０を介して送信することができる。そして、内部無線通信用アンテナ１１０を介して撮像データが送信されると、その撮像データが内部無線通信用アンテナ１０７を介して受信される。そして、送受信部２０７は、内部無線通信用アンテナ１０７を介して受信された撮像データを制御部２０４に送ることができる。そして、制御部２０４は、第２筐体部１０２から送られた撮像データの処理を行ったり、ＲＡＭ２０５に記憶させたりすることができる。
【００３５】
ここで、内部無線通信用アンテナ１０７、１１０を回路基板１０４、１０８内にそれぞれ埋め込むとともに、内部無線通信用アンテナ１０７、１１０の上下のいずれか少なくとも一方にそれぞれ配置されるようにして、回路基板１０４、１０８にグランド層１１１、１１２をそれぞれ形成することにより、内部無線通信用アンテナ１０７、１１０から上下方向に放射される電波をシールドすることが可能となるとともに、回路基板１０４、１０８の側面から電波を放射させることが可能となる。このため、内部無線通信用アンテナア１０７、１１０に指向性を持たせることを可能としつつ、シールド効果を向上させることが可能となり、内部無線通信用アンテナ１０７、１１０間で効率よく電波を受け渡しさせることを可能としつつ、外部無線通信と内部無線通信との相互干渉を低減させることが可能となるとともに、内部無線通信用アンテナ１０７、１１０の実装面積の増大を抑制することができる。
【００３６】
この結果、外部無線通信による通信環境の変化を許容しつつ、第１筐体部１０１と第２筐体部１０２との間の内部無線通信の品質の劣化を抑制することが可能となるとともに、第１筐体部１０１と第２筐体部１０２との間でのデータ伝送量が増大した場合においても、連結部の構成を複雑化させることなく、第１筐体部１０１と第２筐体部１０２との間の位置関係を変化させることが可能となる。このため、コストアップを抑制しつつ、無線通信端末の小型薄型化および高信頼性化を図ることが可能となるとともに、無線通信端末の携帯性を損なうことなく、無線通信端末の大画面化および多機能化を図ることができる。
【００３７】
なお、内部無線通信用アンテナ１０７、１１０は、回路基板１０４、１０８に設けられた配線パターンの一部から構成することができる。
これにより、配線パターンを回路基板１０４、１０８にそれぞれ形成する時に、内部無線通信用アンテナ１０７、１１０を回路基板１０４、１０８にそれぞれ一括して形成することが可能となり、工程増を伴うことなく、内部無線通信用アンテナ１０７、１１０を回路基板１０４、１０８にそれぞれ埋め込むことが可能となる。このため、コストアップを抑制しつつ、内部無線通信用アンテナ１０７、１１０のシールド効果を向上させることが可能となるとともに、内部無線通信用アンテナ１０７、１１０の小型化を図ることが可能となる。
【００３８】
図６（ａ）は、本発明の第２実施形態に係る無線通信端末の内部無線通信用アンテナ部の概略構成を示す平面図、図６（ｂ）は図６（ａ）の断面図である。
図６において、回路基板３０１、３０４には、内部無線通信用アンテナ３０２、３０５がそれぞれ埋め込まれている。また、回路基板３０１には、内部無線通信用アンテナ３０２の上下に配置されるようにして、グランド層３０３ａ、３０３ｂがそれぞれ形成されている。また、回路基板３０４には、内部無線通信用アンテナ３０５の上下に配置されるようにして、グランド層３０６ａ、３０６ｂがそれぞれ形成されている。
【００３９】
ここで、内部無線通信用アンテナ３０２、３０５間で内部無線通信を行う場合、回路基板３０１、３０４の端面が互いに対向するように配置することができる。
これにより、内部無線通信用アンテナ３０２、３０５から上下方向に放射される電波をシールドすることが可能となるとともに、回路基板３０１、３０４の側面から電波を放射させることが可能となる。このため、内部無線通信用アンテナ３０２、３０５に指向性を持たせることを可能としつつ、シールド効果を向上させることが可能となり、実装面積の増大を抑制しつつ、他の通信との相互干渉を低減させることができる。
【００４０】
なお、図６の実施形態では、回路基板３０１、３０４の上下面にグランド層を設ける方法について説明したが、回路基板３０１、３０４の対向面を除いて、回路基板３０１、３０４の側面にもグランド層を設けるようにしてもよい。
図７は、本発明の第３実施形態に係る無線通信端末の内部無線通信用アンテナ部の概略構成を示す平面図、図７（ｂ）は図７（ａ）の断面図である。
【００４１】
図７において、回路基板４０１、４０４には、内部無線通信用アンテナ４０２、４０５がそれぞれ埋め込まれている。また、回路基板４０１には、内部無線通信用アンテナ４０２の上下に配置されるようにして、グランド層４０３ａ、４０３ｂがそれぞれ形成されている。また、回路基板４０４には、内部無線通信用アンテナ４０５の上下に配置されるようにして、グランド層４０６ａ、４０６ｂがそれぞれ形成されている。また、グランド層４０３ａ、４０３ｂ上には、電波吸収体４０７ａ、４０７ｂがそれぞれ貼り付けられるとともに、グランド層４０３ａ、４０３ｂ上には、電波吸収体４０８ａ、４０８ｂがそれぞれ貼り付けられている。
【００４２】
ここで、内部無線通信用アンテナ３０２、３０５間で内部無線通信を行う場合、回路基板３０１、３０４の端面が互いに対向するように配置することができる。
これにより、回路基板４０１、４０４の側面から電波を放射させることを可能としつつ、内部無線通信用アンテナ４０２、４０５から上下方向に放射される電波のシールド効果をより一層向上させることが可能となり、他の通信との相互干渉をより一層低減させることができる。
【図面の簡単な説明】
【００４３】
【図１】本発明の無線通信制御方法が適用されるクラムシェル型携帯電話を開いたときの状態を示す斜視図。
【図２】本発明の無線通信制御方法が適用されるクラムシェル型携帯電話を閉じたときの状態を示す斜視図。
【図３】本発明の無線通信制御方法が適用される回転式携帯電話の外観を示す斜視図。
【図４】本発明の第１実施形態に係る無線通信端末の内部構成を示す斜視図。
【図５】図１の無線通信端末の概略構成を示すブロック図。
【図６】本発明の第２実施形態に係る無線通信端末のアンテナ部の構成を示す図。
【図７】本発明の第３実施形態に係る無線通信端末のアンテナ部の構成を示す図。
【符号の説明】
【００４４】
１、２１、１０１  第１筐体部、２、２２、１０２  第２筐体部、３、２３、１０３  ヒンジ、４、２４  操作ボタン、５、２５  マイク、６、２６、１０６  外部無線通信用アンテナ、７、１０、２７、１０７、１１０、３０２、３０５、４０２、４０５  内部無線通信用アンテナ、８、１１、２８  表示体、９、２９  スピーカ、１２  撮像素子、１０４、１０８、３０１、３０４、４０１、４０４  回路基板、１０５、１０９  電子部品、１１１、１１２、３０３ａ、３０３ｂ、３０６ａ、３０６ｂ、４０３ａ、４０３ｂ、４０６ａ、４０６ｂ  グランド層、２０２  無線部、２０３  ベースバンド信号処理部、２０４  制御部、２０５  ＲＡＭ、２０６  ＲＯＭ、２０７、２２１  送受信部、２２３  カメラ、２２４  液晶表示部、４０７ａ、４０７ｂ、４０８ａ、４０８ｂ  電波吸収体
【図１】
2006013901.tif 000003
【図２】
2006013901.tif 000004
【図３】
2006013901.tif 000005
【図４】
2006013901.tif 000006
【図５】
2006013901.tif 000007
【図６】
2006013901.tif 000008
【図７】
2006013901.tif 000009